(57)【要約】      （修正有）【課題】鉄道レールにさらに加工を施し、コレクターにとっての製品価値の高い装飾品を提供する。【解決手段】鉄道レールを長手方向と垂直な面で切断して所定幅のスライスレール１を得、得られたスライスレールから、くりぬきＡ３とくりぬきＢ４を得る。くりぬきＡを、スライスレールと相似形のレール型くりぬきとし、くりぬきＢを列車のエンブレムの外形の形状とする。スライスレールを得るもとの鉄道レールとして、実際に鉄道レールとして使用されたものを用いる。この結果、鉄道ファンにとって魅力のある装飾品を得ることができる。【選択図】図３
0003233992.tif 000002
【実用新案登録請求の範囲】
【請求項１】
鉄道レールを長手方向と垂直な面で切断して得た所定幅のスライスレールと、
スライスレールからくりぬいて得たくりぬきＡと、
スライスレールからくりぬいて得たくりぬきＢを備え、
前記くりぬきＡが前記スライスレールと相似形のレール型くりぬきである装飾品。
【請求項２】
前記鉄道レールが実際に鉄道レールとして使用された鉄道レールであることを特徴とする請求項１に記載の装飾品。
【請求項３】
前記くりぬきＢが、列車のエンブレムの外形の形状であることを特徴とする請求項１又は請求項２に記載の装飾品。
【請求項４】
前記くりぬきＡと、
前記くりぬきＢと、
前記くりぬきＡ又は前記くりぬきＢを、キーホルダー又はネックレスとして用いるための部品と、
前記くりぬきＡと前記くりぬきＢの抜き跡を備える前記スライスレールとを組み合わせて成る請求項１から請求項３のいずれかに記載の装飾品。
【考案の詳細な説明】
【技術分野】
【０００１】
鉄道レールを長手方向と垂直な面で切断して得たスライスレールを用いた装飾品に関する。
【背景技術】
【０００２】
鉄道に使われるレールは、脱線しないよう車輪を案内し、車両に滑らかな走行面を与え、かつ車両の重量を直接支え枕木と道省分布させる、といった役割を持つ。このためレールには車両に応じた独自の規格が設けられており、独特の形状を成す。このような企画や独特の形状は、鉄道ファンにとっては非常に魅力があり、レールとして使用されその後廃棄されたレールが、鉄道ファンのコレクションの対象になっている。
【０００３】
特許文献1には、廃棄されたレールを３．３ｍｍ幅にスライスし、一部をレールと同じ形状にくりぬき、くりぬいたものをキーホルダーに利用する考案が記載されている。
【先行技術文献】
【特許文献】
【０００４】
【特許文献１】実用新案登録第３１７７３６５号
【考案の概要】
【考案が解決しようとする課題】
【０００５】
本願に係る考案は、鉄道レールにさらに加工を施し、コレクターにとっての製品価値の高いものを得ることを課題とする。
【課題を解決するための手段】
【０００６】
（１）鉄道レールを長手方向と垂直な面で切断して得た所定幅のスライスレールと、スライスレールからくりぬいて得たくりぬきＡと、スライスレールからくりぬいて得たくりぬきＢを備え、くりぬきＡが前記スライスレールと相似形のレール型くりぬきである装飾品によって課題を解決する。
（２）鉄道レールが実際に鉄道レールとして使用された鉄道レールであることを特徴とする（１）に記載の装飾品によって課題を解決する。
（３）くりぬきＢが、列車のエンブレムの外形の形状であることを特徴とする（１）又は（２）に記載の装飾品によって課題を解決する。
（４）くりぬきＡと、くりぬきＢと、くりぬきＡ又はくりぬきＢを、キーホルダー又はネックレスとして用いるための部品と、くりぬきＡとくりぬきＢの抜き跡を備えるスライスレールとを組み合わせて成る（１）から（３）のいずれかに記載の装飾品によって課題を解決する。
【０００７】
鉄道レールから得たスライスレールが、コレクターにとって魅力あるものであるところ、スライスレールから得たくりぬきＡをスライスレールと相似形のレール型くりぬきとすることにより、コレクターにとっての製品価値が上がる。さらに、スライスレールからくりぬきＢを得、その形体を列車のエンブレムとすることにより、コレクターにとっての製品価値はさらに上がる。
【０００８】
さらに、くりぬきＡとくりぬきＢが、ぬき跡を備えた残スライスレールに嵌め込まれ、これらを組み合わせた製品とすることにより、くりぬきＡとくりぬきＢが、実際のレールからくりぬかれたものであることが確認でき、製品価値はさらに上がる。
【図面の簡単な説明】
【０００９】
【図１】実施例１に係るスライスレールを示す。
【図２】実施例１に係るスライスレールからくりぬきＡとくりぬきＢを外した状態を示す。
【図３】実施例１に係るスライスレールと併せて販売する一式の製品を示す。
【図４】実施例１に係るくりぬきＡとくりぬきＢを製品として組み立てた状態を示す。
【図５】実施例２に係るスライスレールを示す。
【考案を実施するための形態】
【００１０】
以下、本考案を実施するための最良の形態を、実施例に基づいて詳細に説明する。
【実施例１】
【００１１】
図１から図４により実施例１を説明する。鉄道レールを長手方向と垂直な面で切断し、数ミリ幅のスライスレール（１）を得る。スライスする鉄道レールとしては、過去に使用され廃棄となったものを用いる。過去に使用されたレールに価値を認める鉄道ファンに対応するためである。
【００１２】
スライスレール（１）から、くりぬきＡ（３）とくりぬきＢ（４）をくりぬく。くりぬきＡ（３）とくりぬきＢ（４）をくりぬいて得た残スライスレール（２）には、ぬき跡Ａ（５）とぬき跡Ｂ（６）が空所として残る。
【００１３】
装飾品として販売等する際には、残スライスレール（２）のぬき跡Ａ（５）にくりぬきＡ（３）を嵌め込み、ぬき跡Ｂ（６）にくりぬきＢ（４）を嵌め込んで、残スライスレール（２）とくりぬきＡ（３）とくりぬきＢ（４）をセットで扱う。
【００１４】
実際には、スライスレール（１）からくりぬきＡ（３）とくりぬきＢ（４）をくりぬくと、残スライスレール（２）と、くりぬきＡ（３）とくりぬきＢ（４）の間には、それぞれ、切り抜くために用いた刃の幅のすき間ができる。よって、残スライスレール（２）のぬき跡Ａ（５）にくりぬきＡ（３）を嵌め込んで一つのセットとして扱うために、もう一つ別のスライスレールを用意する。残スライスレール（２）のぬき跡Ａ（５）にぴったりはまる大きさのくりぬきＡ（３）と、ぬき跡Ｂ（６）にぴったりはまる大きさのくりぬきＢ（４）は、別のスライスレールから得る。
【００１５】
スライスレール（１）から、くりぬきＡ（３）とくりぬきＢ（４）をくりぬく理由は、鉄道レール由来の製品を持ち歩くことができるようにするためである。スライスレールは実際のレールから得ているため、例えば高さ約１７５ｍｍ、横幅約１４７ｍｍであり、鋼で成るため重量も嵩み、日頃これを持ち歩くのには適さない。このため、くりぬいた小さな製品にする。
【００１６】
くりぬきＡ（３）とくりぬきＢ（４）を、キーホルダーにしたり、ネックレスにしたりすることができると、日頃持ち歩くのに都合が良い。そこで、くりぬきＡ（３）にはネジ穴７を設け、くりぬきＢ（４）にはネジ穴８を設ける（図２）。これらのネジ穴と螺合させるリング付ねじ（１１、１２）と、リング付ネジに取り付けてキーホルダーとして用いるためのリング（１０）と、リング付ネジに取り付けてネックレスとして用いるためのチェーン（１３）を、残スライスレール（２）とくりぬきＡ（３）とくりぬきＢ（４）のセットに加えることができる。
【００１７】
くりぬきＡをスライスレールの相似形にすると、レールの形体を好む者にとって魅力がある。くりぬきＢを列車のエンブレムの表示に用いると、列車を好む者にとって魅力がある。エンブレムの外形が、楕円形や三角形といったくりぬきＢの形体としてそのまま用いることができるものの場合には、エンブレムの外形をくりぬきＢの形体としてそのまま用いる。エンブレムの外形をくりぬきＢの形体としてそのまま用いることができない場合には、くりぬきＢは円形、四角形、といった形体とし、くりぬきＢにエンブレムを描く。
【実施例２】
【００１８】
図５により実施例２を説明する。実施例１と同様の手段で得たスライスレールに、実施例１と同様のくりぬきを設け、くりぬきを嵌め込んだ状態で、スライスレールの表面に絵を描く。
【００１９】
くりぬきを嵌め込んだ状態でスライスレールの表面に一続きの絵を描くことにより、取り外されたくりぬきの表面に、一続きの絵の一部が描かれた状態となる。くりぬきを取り外した際には一続きの絵が二つに分かれ、くりぬきを嵌め込むことにより一続きの絵が完成する、という状態となりこの点に趣が生じる。くりぬきやスライスレール全体の裏側に、表側と呼応する絵を描くことにより、さらに新たな趣が加わる。
【符号の説明】
【００２０】
１  スライスレール
２  残スライスレール
３  くりぬきＡ
４  くりぬきＢ
５  ぬき跡Ａ
６  ぬき跡Ｂ
７  ネジ穴
８  ネジ穴
１０  リング
１１  リング付ネジ
１２  リング付ネジ
１３  チェーン
１４  チェーン付くりぬき
１５  リング付くりぬき
【図１】
0003233992.tif 000003
【図２】
0003233992.tif 000004
【図３】
0003233992.tif 000005
【図４】
0003233992.tif 000006
【図５】
0003233992.tif 000007